(57)【特許請求の範囲】
【請求項１】
内部に収納部を備えたキャビネットと、当該キャビネットの上部に配置された樹脂製のキッチンカウンタとを含むシステムキッチンにおいて、
前記キッチンカウンタは、加熱調理機器用の開口部を有するとともに後端部及び左右方向の少なくとも一方の側端部に水返し用起立部が設けられた第１カウンタ形成体と、シンク部を有するとともに、少なくとも後端部に水返し用起立部が設けられた第２カウンタ形成体とからなり、
前記第１カウンタ形成体の側端部に設けられた水返し用起立部が、前記第２カウンタ形成体の一方の側端部の下方に配置されてこれらカウンタ形成体を段違いに配置し、
前記第１及び第２カウンタ形成体は、それらが同一平面上に連なる状態で形成されたカウンタ材の左右方向中間を前後方向に切断することによって形成されることを特徴とするシステムキッチン。
【発明の詳細な説明】
【技術分野】
【０００１】
本発明はシステムキッチンに係り、特に、加熱調理機器が配置される側のカウンタ部分と、シンク部が配置される側のカウンタ部分とが段違いとなる状態でキャビネットの上部に配置されたシステムキッチンに関する。
【背景技術】
【０００２】
人造大理石調のカウンタを備えた公知のシステムキッチンは、内部に一定の収納空間を備えたキャビネットと、このキャビネットの上部に配置されたキッチンカウンタとを備えて構成されている。このキッチンカウンタはシンク部が設けられているとともに、カウンタ面内に形成された開口部に加熱調理機器が配置されるようになっている。また、例えば、特許文献１に開示されるように、キッチンカウンタの後端部と、左右方向の側端部に水返し用起立部（バックガード）を設けるという手段も知られている。
【０００３】
特許文献１に記載されたキッチンカウンタにあっては、当該キッチンカウンタをキャビネットの上部に配置したときに、キッチンカウンタの上面全体が水平となるものであり、従って、前記開口部に配置した加熱調理機器に、鍋等の調理器具を載置したときに、鍋等の開口部がカウンタ上面よりもさらに上に位置することになるため、加熱調理時に調理器具内部を目視確認しにくい、という不都合がある。
【０００４】
ところで、キッチンカウンタの面内に加熱調理機器を配置するに際し、当該加熱調理機器の上面を低く設定できるようにしたキッチンカウンタが提案されている（例えば、特許文献２参照）。このキッチンカウンタは、調理器具内部を目視確認しやすくすることが企図されている。
【先行技術文献】
【特許文献】
【０００５】
【特許文献１】特開平１０−２８６１２９号公報
【特許文献２】特開平８−１３１２７６号公報
【発明の概要】
【発明が解決しようとする課題】
【０００６】
しかしながら、特許文献２に記載されたキッチンカウンタは、二つのカウンタ形成体を用いて構成されたもので、具体的には、金属材料をプレス成形し、浅い段差を形成したコンロ台天板に流し台天板を重ね合わせることで、加熱調理機器を配置する領域を低く設定したものである。
このように二つのカウンタ形成体を別々に形成することは、異なる成形型が必要となって製造設備が複雑となり、低コストでの製作が困難になるという不都合を招来する。
【０００７】
［発明の目的］
本発明の目的は、このような不都合に着目して案出されたものであり、シンク部を有するカウンタ部分と、加熱調理機器配置用の開口部を有するカウンタ部分とが同一平面上に位置するように形成された既存のカウンタ材を利用することができ、異なる成形型を必要とすることなく既存の成形型を利用して廉価に製造することに適したシステムキッチンを提供することにある。
【課題を解決するための手段】
【０００８】
前記目的を達成するため、本発明は、特許請求の範囲記載の構成を採用したものである。具体的には、内部に収納部を備えたキャビネットと、当該キャビネットの上部に配置された樹脂製のキッチンカウンタとを含むシステムキッチンにおいて、
前記キッチンカウンタは、加熱調理機器用の開口部を有するとともに後端部及び左右方向の少なくとも一方の側端部に水返し用起立部が設けられた第１カウンタ形成体と、シンク部を有するとともに、少なくとも後端部に水返し用起立部が設けられた第２カウンタ形成体とからなり、
前記第１カウンタ形成体の側端部に設けられた水返し用起立部が、前記第２カウンタ形成体の一方の側端部の下方に配置されてこれらカウンタ形成体を段違いに配置し、
前記第１及び第２カウンタ形成体は、それらが同一平面上に連なる状態で形成されたカウンタ材の左右方向中間を前後方向に切断することによって形成される、という構成を採っている。
【発明の効果】
【０００９】
本発明によれば、既存のキッチンカウンタに適用できるカウンタ材を利用してシステムキッチンを構成することができるため、段違いのキッチンカウンタを形成するための異なる成形型や、特別な設備も必要とすることなく廉価に提供できるとともに、適用するキャビネットの幅寸法に応じてカウンタ材の切断を行うことで、汎用性を付与することも可能となる。
【図面の簡単な説明】
【００１０】
【図１】本実施形態に係るシステムキッチンの概略斜視図。
【図２】システムキッチンに用いられるカウンタの切断前概略斜視図。
【図３】図１の要部分解斜視図。
【図４】前記システムキッチンの要部断面図。
【発明を実施するための形態】
【００１１】
以下、本発明の実施形態について図面を参照しながら説明する。
【００１２】
図１において、システムキッチン１０は、内部に収納空間を備えたキャビネット１１と、当該キャビネット１１の上部に配置されたキッチンカウンタ１２と、当該キッチンカウンタ１２におけるシンク部１４の上部外周側に取り付けられる図示しない水栓とを備えて構成されている。
【００１３】
前記キッチンカウンタ１２は熱硬化性樹脂材料を成形素材とした人造大理石調の成形品により構成されている。このキッチンカウンタ１２は、第１カウンタ形成体１２Ａと、第２カウンタ形成体１２Ｂとにより構成されている。これら第１及び第２カウンタ形成体１２Ａ、１２Ｂは、図２に示されるように、上面が同一平面上に位置する単一のカウンタ材１００を、例えば、同図中の切断位置Ｐで切断することによって得られるようになっている。カウンタ材１００は、その後端部に水返し用起立部としてのバックガード２０が形成されているとともに、左右方向（長手方向）一端部となる左端部には前記バックガード２０と同一上端位置となる水返し用起立部としてのサイドガード２１が形成されている。また、第１カウンタ形成体１２Ａの平面領域内には、加熱調理機器４０（図１参照）を配置するための開口部２３が形成されている一方、第２カウンタ形成体１２Ｂの平面領域内には、シンク部１４が形成されている。なお、カウンタ材１００は、それ自体、図示しないキャビネットの上部に配置してキッチンカウンタとして利用できるものである。
【００１４】
前記キャビネット１１は、図１、図３及び図４に示されるように、シンクキャビネット２５、加熱調理機器キャビネット２６、及び中間キャビネット２７により構成されている。シンクキャビネット２５は、左右の側板３０、３１と、これら側板３０、３１の後部間に位置する背板３３と、側板３０、３１の上部前端間に位置する幕板３５と、当該幕板３５の前面側に位置する鏡板３６と、引き出し３７等を備えて構成されている。加熱調理機器キャビネット２６は、左右の側板４０、４１と、これら側板４０、４１の後部間に位置する背板４３と、加熱調理機器４０を載置する棚板４５と、引き出し４６等を備えて構成されている。また、中間キャビネット２７は、左右の側板５０、５１と、これら側板５０、５１の後部間に位置する背板５３と、側板５０、５１の上部前端間に位置する幕板５４と、引き出し５５等を備えて構成されている。
【００１５】
前記シンクキャビネット２５及び中間キャビネット２７は、それらの上端位置が同一高さ位置に設けられている一方、加熱調理機器キャビネット２６の上端位置は、中間キャビネット２７の上端位置よりも低く形成されており、その高低差は、前記サイドガード２１の高さに略対応するようになっている。
【００１６】
前記カウンタ材１００を前記切断位置Ｐで切断することによって得られた第１カウンタ形成体１２Ａは、前記加熱調理機キャビネット２６の上部に配置され、第２カウンタ形成体１２Ｂは、シンクキャビネット２５及び中間キャビネット２７の上部に配置される。このとき、第１カウンタ形成体１２Ａのサイドガード２１の上端は、第２カウンタ形成体１２Ｂの右端側下面にコーキング剤Ｃを介して当接する。これにより、加熱調理機器４０が配置される第１カウンタ形成体１２Ａが、シンク部１４を有する第２カウンタ形成体１２Ｂよりも低く設けられたキッチンカウンタ１２を有するシステムキッチン１０を形成することができる。
【００１７】
従って、このような実施形態によれば、特別な成形型を必要とすることなく、既存のキッチンカウンタに用いられるカウンタ材１００を切断することで第１及び第２カウンタ形成体１２Ａ、１２Ｂを形成することができる。しかも、第１カウンタ形成体１２Ａのサイドガード２１で第２カウンタ形成体１２Ｂの側端部を支持する構成であるため、中間キャビネット２７への水の侵入を阻止することができる。
【００１８】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００１９】
例えば、前記実施形態では、カウンタ材１００に関し、一端部にサイドガード２１を設けものを採用したが、他端部にもサイドガードが設けられたカウンタ材を採用することを妨げない。
【００２０】
また、キャビネット１１の構成は例示的に示したに過ぎず、当該キャビネット１１は、第１及び第２カウンタ形成体１２Ａ、１２Ｂを段違いで支持できるように形成されていれば足りる。
【００２１】
更に、本発明に用いられるカウンタ材１００は、図２に示されたものに限定されるものではなく、第１カウンタ形成体１２Ａが第２カウンタ形成体１２Ｂの右端側に連設されたものであってもよい。要するに、本発明は、特別な成形型を利用することなく、上面位置が同一平面に位置するキッチンカウンタとして利用可能なカウンタ材を切断し、それによって得られたカウンタ形成体を段違いとなる状態でキャビネット上に配置することができる構成であれば足りる。
【符号の説明】
【００２２】
１０…システムキッチン、１１…キャビネット、１２…キッチンカウンタ、１２Ａ…第１カウンタ形成体、１２Ｂ…第２カウンタ形成体、１４…シンク部、２０…バックガード（水返し用起立部）、２１…サイドガード（水返し用起立部）、２３…開口部、４０…加熱調理用機器
【図１】
0005166498.tif 000002
【図２】
0005166498.tif 000003
【図３】
0005166498.tif 000004
【図４】
0005166498.tif 000005